(57)【特許請求の範囲】
【請求項１】
入力された映像信号によって映像を表示するＣＲＴ及び、このＣＲＴに設置された偏向ヨークに供給される偏向電流を発生する偏向出力回路と、この偏向出力回路から発生した偏向電流の振幅を可変して上記映像のサイズを調整するサイズ調整回路と、上記偏向電流の波形振幅を検出する偏向検出回路と、上記映像信号を検出する映像検出回路と、この映像検出回路で検出した上記映像信号と上記偏向検出回路で検出した上記偏向電流とを比較す映像比較回路と、この映像比較回路の出力信号をクランプするクランプ回路と、このクランプ回路の出力信号のピーク値を検出するピーク検出回路と、このピーク検出回路の出力信号と予め設定された基準電圧との出力波形を比較して上記サイズ調整回路へフィードバックするピーク比較器と、上記映像比較回路の出力信号から正方向電流及び負方向電流を検出する正電流及び負電流検出回路と、この負電流検出回路で検出した負方向電流を反転する反転回路と、この反転回路で反転した負方向電流を実効値に変換する負実効値変換回路と、上記正方向電流を実効値に変換する正実効値変換回路と、この正実効値変換回路の出力信号と上記負実効値変換回路の出力信号とを比較する実効値比較器と、この実効値比較器の出力信号によって上記偏向出力回路を制御して上記映像のポジションを調整するポジション調整回路とで構成されたことを特徴とするディスプレイ調整装置。
【発明の詳細な説明】
【０００１】
【発明の属する技術分野】
本発明は、ディスプレイ調整装置に係り、特に、映像サイズ及び映像ポジションを自動調整するディスプレイ調整装置に関する。
【０００２】
【従来の技術】
従来のディスプレイ調整装置は、図４に示すように、映像信号を検出する映像検出回路２０４と、映像サイズ／映像ポジションを調整するサイズ／ポジション調整ＩＣ２０５と、このサイズ／ポジション調整ＩＣ２０５からの出力信号によって所望の映像サイズ及び映像ポジションを演算して設定するＣＰＵ２０３と、このＣＰＵ２０３の演算結果をもとに映像サイズを調整するサイズ調整回路２０２と、ＣＰＵ２０３の演算結果をもとに映像ポジションを調整するポジション調整回路２１０と、このポジション調整回路２１０及びサイズ調整回路２０２の出力信号によって偏向電流を出力する偏向出力回路２０１とで構成される。
【０００３】
この従来のディスプレイ調整装置の動作は、図４に示すように、サイズ／ポジション調整ＩＣ２０５によって映像検出回路２０４で検出された映像信号の立ち上がりが検出され、サイズ／ポジション調整ＩＣ２０５に入力された映像信号の水平同期信号及び垂直同期信号により、その時間差を検出してＣＰＵ２０３に出力し、ＣＰＵ２０３が映像信号，水平同期信号，垂直同期信号の時間差及び入力される水平周波数，垂直周波数に基づき、映像サイズ及び映像ポジションの調整データを演算し、かつサイズ調整回路２０２及びポジション調整回路２１０にデータ出力させ、サイズ調整回路２０２及びポジション調整回路２１０からの出力信号により、偏向出力回路２０１が映像サイズ及び映像ポジションを調整する。
【０００４】
【発明が解決しようとする課題】
しかしながら、従来のディスプレイ調整装置は、映像サイズ及び映像ポジションの調整値をサイズ／ポジション調整ＩＣで検出した映像信号と水平同期信号及び垂直同期信号の時間差とＣＰＵに入力される水平同期周波数及び垂直同期周波数をもとに演算されるため、ＣＰＵに負荷がかかり、かつ偏向出力回路の部品ばらつき及び偏向ヨークの偏向感度のばらつきのため、映像サイズ及び映像ポジションの調整値にばらつきが出てしまうという課題があった。
【０００５】
そこで、本発明の目的は、偏向出力回路の部品ばらつき及びＣＲＴの偏向ヨークの偏向感度のばらつきを考慮して映像サイズ及びポジション調整するディスプレイ調整装置を提供することにある。
【０００６】
【課題を解決するための手段】
上述の課題を解決するために、本発明のディスプレイ調整装置は、入力された映像信号によって映像を表示するＣＲＴ及び、このＣＲＴに設置された偏向ヨークに供給される偏向電流を発生する偏向出力回路と、この偏向出力回路から発生した偏向電流の振幅を可変して上記映像のサイズを調整するサイズ調整回路と、上記偏向電流の波形振幅を検出する偏向検出回路と、上記映像信号を検出する映像検出回路と、この映像検出回路で検出した上記映像信号と上記偏向検出回路で検出した上記偏向電流とを比較す映像比較回路と、この映像比較回路の出力信号をクランプするクランプ回路と、このクランプ回路の出力信号のピーク値を検出するピーク検出回路と、このピーク検出回路の出力信号と予め設定された基準電圧との出力波形を比較して上記サイズ調整回路へフィードバックするピーク比較器と、上記映像比較回路の出力信号から正方向電流及び負方向電流を検出する正電流及び負電流検出回路と、この負電流検出回路で検出した負方向電流を反転する反転回路と、この反転回路で反転した負方向電流を実効値に変換する負実効値変換回路と、上記正方向電流を実効値に変換する正実効値変換回路と、この正実効値変換回路の出力信号と上記負実効値変換回路の出力信号とを比較する実効値比較器と、この実効値比較器の出力信号によって上記偏向出力回路を制御して上記映像のポジションを調整するポジション調整回路とで構成されたことを特徴とする。
【０００７】
【発明の実施の形態】
次に、本発明の一実施の形態によるディスプレイ調整装置を図面を参照して説明する。
【０００８】
図１は、本発明の一実施の形態によるディスプレイ調整装置のブロック構成図である。
【０００９】
図２は、本発明の一実施の形態によるディスプレイ調整装置の映像サイズ調整の出力信号波形図である。
【００１０】
図３は、本発明の一実施の形態によるディスプレイ調整装置の映像ポジション調整の出力信号波形図である。
【００１１】
本発明の一実施の形態によるディスプレイ調整装置は、図１に示すように、入力された映像信号によって映像を表示するＣＲＴ及び、このＣＲＴに設置された偏向ヨークに供給される偏向電流を発生する偏向出力回路１０１と、この偏向出力回路１０１から発生した偏向電流の振幅を可変して映像のサイズを調整するサイズ調整回路１０２と、偏向電流の波形振幅を検出する偏向検出回路１０３と、映像信号を検出する映像検出回路１０４と、この映像検出回路１０４で検出した映像信号Ｂと偏向検出回路１０３で検出した偏向電流Ａとを比較す映像比較回路１０５と、この映像比較回路１０５の出力信号Ｃをクランプするクランプ回路１０６と、このクランプ回路１０６の出力信号Ｄのピーク値を検出するピーク検出回路１０７と、このピーク検出回路１０７からの出力信号Ｅと予め基準電圧回路１０８で設定された基準電圧Ｆとの出力波形を比較してサイズ調整回路１０２へフィードバックするピーク比較器１０９と、映像比較回路１０５の出力信号Ｃから正方向電流及び負方向電流を検出する正電流及び負電流検出回路１１１，１１２と、この負電流検出回路１１２で検出した負方向電流を反転する反転回路１１３と、この反転回路１１３で反転した負方向電流Ｈを実効値に変換する負実効値変換回路１１５と、正方向電流Ｇを実効値に変換する正実効値変換回路１１４と、この正実効値変換回路１１４の出力信号Ｊと負実効値変換回路１１５の出力信号Ｋとを比較する実効値比較器１１６と、この実効値比較器１１６の出力信号によって偏向出力回路１０１を制御して映像のポジションを調整するポジション調整回路１１０とで構成される。
【００１２】
次に、本発明の一実施の形態によるディスプレイ調整装置の動作を図面を参照して説明する。
【００１３】
本発明の一実施の形態によるディスプレイ調整装置の映像サイズ調整は、図１及び図２に示すように、まず偏向出力回路１０１からの偏向電流の振幅は偏向検出回路１０３の出力信号Ａで検出して映像比較回路１０５により、映像検出回路１０４の出力信号Ｂと比較し、出力信号Ｂの立ち上がりから立ち下がりまでの映像期間が有効となって映像比較回路１０５の出力信号Ｃとして出力され、かつクランプ回路１０６でＧＮＤレベルにクランプしてピーク検出回路１０７でピーク値を検出し、このピーク値を検出したピーク検出回路１０７の出力信号Ｅと予め基準電圧回路１０８で設定された部品ばらつき及び偏向ヨークの偏向感度のばらつき吸収のために調整された基準電圧Ｆとを比較し、この比較結果をサイズ調整回路１０２へフィードバックして基準電圧Ｆと等しくなるまで調整される。
【００１４】
また、本発明の一実施の形態によるディスプレイ調整装置の映像ポジション調整は、図１及び図３に示すように、映像比較回路１０５の出力信号Ｃから正方向電流及び負方向電流を正電流検出回路１１１及び負電流検出回路１１２で検出し、この負電流検出回路１１２で検出した負方向電流を反転回路１１３で正方向に反転した出力信号Ｈ及び正電流検出回路１１１の出力信号Ｇが負実効値変換回路１１５及び正実効値変換回路１１４で各々実効値に変換され、負実効値変換回路１１５及び正実効値変換回路１１４の各々出力信号Ｋ，Ｊを実効値比較器１１６で比較し、この比較結果をポジション調整回路１１０にフィードバックして各々出力信号Ｋ，Ｊが等しくなるまで調整する。
【００１５】
【発明の効果】
以上説明したように、本発明のディスプレイ調整装置によれば、偏向出力回路の偏向電流を検出し、ピーク比較器で予め個々のユニット毎に調整された基準電圧と比較してサイズ調整回路にフィードバックすることで映像サイズ、かつ実効値比較器で偏向電流の正方向電流及び負方向電流の実効値を比較してポジション調整回路にフィードバックすることで映像ポジションを各々調整するため、偏向ヨークの偏向感度及び偏向出力回路の部品ばらつきに左右されることなく、映像サイズ及び映像ポジションを自動調整できる効果がある。
【図面の簡単な説明】
【図１】本発明の一実施の形態によるディスプレイ調整装置のブロック構成図である。
【図２】本発明の一実施の形態によるディスプレイ調整装置の映像サイズ調整の出力信号波形図である。
【図３】本発明の一実施の形態によるディスプレイ調整装置の映像ポジション調整の出力信号波形図である。
【図４】従来のディスプレイ調整装置のブロック構成図である。
【符号の説明】
１０１  偏向出力回路
１０２  サイズ調整回路
１０３  偏向検出回路
１０４  映像検出回路
１０５  映像比較回路
１０６  クランプ回路
１０７  ピーク検出回路
１０８  基準電圧回路
１０９  ピーク比較器
１１０  ポジション調整回路
１１１  正電流検出回路
１１２  負電流検出回路
１１３  反転回路
１１４  正実効値変換回路
１１５  負実効値変換回路
１１６  実効値比較器
【図１】
0004181692.tif 000002
【図２】
0004181692.tif 000003
【図３】
0004181692.tif 000004
【図４】
0004181692.tif 000005